(57)【特許請求の範囲】
【請求項１】
上下方向へ延びた筒状の外郭部、該外郭部内を上下方向へ延びた複数の空間に仕切る仕切部、及び該仕切部によって仕切られた一つの空間と連通し前記外殻部の一部を貫通している第二開口部を有し、所定の設置面に対して立設される本体部材と、
該本体部材の上端開口を閉鎖するカバー部材と、
前記本体部材の上端開口から前記第二開口部と連通している空間内に挿入されており、該第二開口部側が開放された箱状のボックス本体を備えている収容ボックスと、
該収容ボックスを前記外殻部の内面の前記第二開口部側へ付勢している付勢機構と
を具備することを特徴とするスタンド。
【請求項２】
前記収容ボックスは、
前記ボックス本体の開放された端部から前記第二開口部内へ突出している突出片を、更に備えていることを特徴とする請求項１に記載のスタンド。
【請求項３】
前記本体部材における前記仕切部によって仕切られた複数の空間のうち、前記収容ボックスが挿入されている空間には電気配線が、残りの空間には流体が流通可能な供給管又は電気配線の何れかが、挿入されていることを特徴とする請求項１又は請求項２に記載のスタンド。
【請求項４】
前記本体部材における前記供給管が挿入された空間内に充填され、該供給管を保持する充填材を、更に具備することを特徴とする請求項３に記載のスタンド。
【発明の詳細な説明】
【技術分野】
【０００１】
本発明は、屋外等に立設され、水栓、コンセント、照明器具等を取付けることが可能な柱状のスタンドに関するものである。
【背景技術】
【０００２】
屋外の地面等の設置面に立設される柱状のスタンドとしては、柱状の本体部材と、本体部材の上部側面から上端が外側へ臨むように本体部材内に配置される水道管からなる供給管とを備え、供給管の上端に蛇口を有した水栓を取付けられるようにしたものが知られている（例えば、特許文献１）。また、柱状のスタンドとしては、柱状の本体部材内に配置される電気配線と、電気配線が接続されると共に本体部材の上部側面に取付けられるコンセント及び操作スイッチとを備え、コンセントを介して電気自動車等のバッテリーを充電できるようにしたものが知られている（例えば、特許文献２）。
【０００３】
これらのようなスタンドを、必要とする機能（用途）毎に立設すると、必要な機能が多くなるほどスタンドの数も多くなるので、複数のスタンドを設置するために広いスペースが必要となると共にコストが増加する問題が生じる。これに対して、一つの本体部材内に、供給管と電気配線とを配置すると共に、本体部材の側面等に水栓、コンセントやスイッチ等を備えるようすることが考えられる。
【０００４】
しかしながら、供給管と電気配線を一つの本体部材内に配置するようにした場合、一つの空間内に供給管と電気配線とが配置されることとなり、本体部材内に供給管や電線配線を挿入配置する際に、供給管と電気配線とが接触するので、慎重に作業を行う必要があり、作業性が悪くなると共にコストを低減させることが難しくなる問題がある。また、一つの空間に水道管（供給管）と電気配線のように異なるものを配置するようにした場合、一方側から影響を及ぼされたり互いに影響を及ぼしあったりして不都合や不具合が発生し、所望の機能を発揮することができなくなる虞がある。
【発明の概要】
【発明が解決しようとする課題】
【０００５】
本発明は、上記の実情に鑑み、製造や設置等に係る手間を低減させると共に複数の機能を備えることが可能なスタンドの提供を課題とするものである。
【課題を解決するための手段】
【０００６】
上記の課題を解決するために、本発明に係るスタンドは、「上下方向へ延びた筒状の外郭部、該外郭部内を上下方向へ延びた複数の空間に仕切る仕切部、及び該仕切部によって仕切られた一つの空間と連通し前記外殻部の一部を貫通している第二開口部を有し、所定の設置面に対して立設される本体部材と、該本体部材の上端開口を閉鎖するカバー部材と、前記本体部材の上端開口から前記第二開口部と連通している空間内に挿入されており、該第二開口部側が開放された箱状のボックス本体を備えている収容ボックスと、該収容ボックスを前記外殻部の内面の前記第二開口部側へ付勢している付勢機構とを具備する」ことを特徴とする。また、本発明に係るスタンドは、上記の構成に加えて、「前記収容ボックスは、前記ボックス本体の開放された端部から前記第二開口部内へ突出している突出片を、更に備えている」ことを特徴としても良い。
【０００７】
ここで、外郭部の外周形状としては、特に限定するものではないが、「多角形状」、「円形状」、「楕円形状」、「不定形状」、等を例示することができる。
【０００８】
また、「仕切部」としては、少なくとも給水管や充填材等が通過できないように仕切ることができるものであれば良く、「板状のもの」、「網状のもの」、「格子状のもの」、等を例示することができる。
【０００９】
更に、本体部材における外郭部と仕切部との関係としては、外郭部と仕切部とが一体に形成されたものとしても良いし、外郭部と仕切部とが別体に形成されて組立てることで本体部材となるものとしても良い。
【００１０】
また、「立設」としては、特に限定するものではないが、「本体部材の下部を設置面に対して埋設することで立設するもの」、「設置面に取付けられた設置部材に本体部材の下端を取付けることで立設するもの」、「本体部材の下部に重量のあるブロック状の台座を取付け、台座を設置面に載置することで立設するもの」、等を例示することができる。
【００１１】
なお、スタンドにより備えることが可能な「機能」としては、特に限定するものではないが、「給水機能」、「電力供給機能」、「照明機能」、「燃料の供給機能」、「消防機能」、「清掃機能」、等を例示することができる。
【００１２】
これにより、所定の設置面に立設される本体部材の外周を構成する外郭部内を、仕切部によって複数の空間に仕切っているので、各空間に水道管等の供給管や電気配線等を夫々通すことで、一つのスタンドで供給管による給水機能、電気配線による電力供給機能や照明機能等を備えることができる。また、機能の異なる複数のスタンドを設置する場合と比較して、一つのスタンドで複数の機能を備えることが可能となるので、設置のためのスペースを少なくすることができると共に、設置場所の美観を向上させることができる。また、複数のスタンドを一つのスタンドに集約することができるので、一箇所で作業することができ、作業性を向上させることができると共に、部品を共用化することができ、スタンドの製造や設置等に係るコストを低減させることができる。
【００１３】
また、本体部材内を仕切部によって複数の空間に仕切っているので、或る空間内に配置されたもの（例えば、供給管、電気配線、等）が、他の空間内に配置されたものに影響を及ぼすのを仕切部によって可及的に回避させることができ、互いに影響されることで不都合や不具合等が生じるのを防止して、複数の機能を確実に備えることができる。
【００１４】
また、本体部材内を仕切部によって複数の空間に仕切っているので、空間内に供給管や電気配線等を挿入する時、他の供給管や電気配線等を気にすることなく作業を行うことが可能となり、作業性を向上させることができ、作業時間が短くなることで短納期化に対応させたりコストを低減させたりすることができる。
【００１５】
更に、本体部材の上端開口を閉鎖するカバー部材を備えているので、上端開口から本体部材内へ雨水や塵・埃等が浸入するのを防止することができる。従って、本体部材内に挿入配置されたものを保護して早期に機能等が劣化するのを抑制することができ、メンテナンス等にかかるコストを低減させることができる。
【００１６】
また、本発明に係るスタンドは、上記の構成に加えて、「前記本体部材における前記仕切部によって仕切られた複数の空間のうち、前記収容ボックスが挿入されている空間には電気配線が、残りの空間には流体が流通可能な供給管又は電気配線の何れかが、挿入されている」ことを特徴としても良い。
【００１７】
ここで、「供給管」としては、特に限定するものではないが、「水道管」、「ガス管」、「吸引管」、等を例示することができる。また、供給管内を流通する「流体」としては、「液体」、「気体」、「粉体」、等を例示することができる。この「液体」としては、「上水道水」、「温水」、「冷水」、「中水道水」、「浄水」、「排水」、「電解液」、「消火液」、等を例示することができる。また、「気体」としては、「都市ガス」、「プロパンガス」、「天然ガス」、「その他の燃料用ガス」、「消火用ガス」、等を例示することができる。更に、「粉体」としては、「水素吸蔵粉末等の燃料用粉体」、「粉末消化剤」、「塵」、等を例示することができる。
【００１８】
また、「電気配線」としては、「電力線」、「電気信号線」、「アース線」、等を例示することができる。また、電気信号線として「光ファイバー」を含めても良い。
【００１９】
これにより、仕切部によって仕切られた空間内に、供給管又は電気配線を挿入するようにしているので、一つの空間内に、供給管を挿入した場合では、水道水等の給水機能を備えることができ、電気配線を挿入した場合では、電力供給機能や照明機能等を備えることができる。従って、一つのスタンドに複数の空間を備えているので、複数の機能を備えることができる。
【００２０】
また、仕切部によって仕切られた夫々の空間内に、供給管又は電気配線の何れかを挿入しているので、本体部材内に供給管や電気配線を挿入する際に、仕切部によって供給管と電気配線等とが接触するのを防止することができる。従って、供給管や電気配線等を本体部材内に配置する時に、供給管と電気配線等とが接触するのを気にすることなく作業を行うことができるので、作業性を向上させることができ、作業時間が短くなることで短納期化に対応させたりコストを低減させたりすることができる。
【００２１】
また、供給管や電気配線を、本体部材内における仕切部によって仕切られた別々の空間に夫々挿入配置するので、或る空間内に配置された供給管又は電気配線が、他の空間に配置された供給管又は電気配線に影響を及ぼすのを可及的に回避させることができ、互いに影響されることで不都合や不具合等が生じるのを防止して、所望の機能を確実に発揮させることができる。
【００２２】
具体的には、例えば供給管としての水道管と電気配線としての電力線とを一つの空間内に配置した場合、内部で水道管から水漏れが発生すると、電力線側でショートや漏電等の不具合が発生する虞があるが、本発明によると、水道管と電気配線とを仕切部によって仕切られた別々の空間に挿入配置することで、水道管側で発生した水漏れが電力線側に影響してショートや漏電等の不具合が発生するのを防止することができ、安全性の高いスタンドとすることができる。或いは、例えば温水管と冷水管の二つの供給管を一つの空間内に配置した場合、互いの熱が伝わることで温水が冷めたり冷水が温くなったりしてしまい、温水と冷水とを確実に供給することができなくなる虞があるが、本発明によると、温水管と冷水管とを仕切部によって仕切られた別々の空間に挿入配置することで、互いに影響されるのを回避させることができ、温水と冷水とを確実に供給して所望の機能を確実に発揮させることができる。
【００２３】
また、本発明に係るスタンドは、上記の構成に加えて、「前記本体部材における前記供給管が挿入された空間内に充填され、該供給管を保持する充填材を更に具備する」ことを特徴としても良い。
【００２４】
ここで、「充填材」としては、特に限定するものではないが、「発泡樹脂」、「発泡ゴム」、「グラスウール」、「ロックウール」、「モルタル」、「コンクリート」、「チップ」、「ペレット」、等を例示することができる。なお、充填材を、本体部材の空間内で発泡又は硬化させたりするようにしても良いし、予め発泡又は硬化させたものを空間内に充填するようにしても良い。
【００２５】
これにより、供給管が挿入配置された空間内に充填材を充填しており、蓋然的に、供給管の周りを充填材で覆うことができるので、空間内で供給管を動き難くすることができる。従って、予め工場等で本体部材内に供給管を挿入配置した状態でスタンドを出荷するようにした場合、スタンドの輸送中や立設作業中に、挿入配置された供給管の位置がずれてしまうのを防止することができ、スタンドの設置に係る作業性を良くすることができる。
【００２６】
また、上述したように、供給管の周りを充填材で覆っているので、充填材として断熱性の高いものを用いた場合、供給管内とスタンド外部との間の熱交換を可及的に遮断することができる。従って、供給管内の流体がスタンド外部の環境温度に影響されたり、供給管内の流体の温度がスタンド（外郭部や他の空間に挿入配置された供給管や電気配線）に影響を及ぼしたりして、不具合や不都合等が発生するのを防止することができ、良好な状態で所望の機能を発揮させることが可能なスタンドとすることができる。
【００２７】
ところで、一つの空間内に供給管と電気配線とを挿入配置した上で、その空間内に断熱材等の充填材を充填するようにした場合、充填材を充填した後では電気配線を挿入することが難しくなるため、本体部材内に供給管と電気配線とを挿入配置してから充填材を充填しなければならず、供給管と電気配線の挿入配置に対する作業手順が限られてしまい、立設する場所や電気配線に接続される電気機器等によっては作業性が悪くなってしまう問題がある。これに対して、本発明では、上述したように、仕切部によって仕切られて供給管が配置された空間内に充填材を充填しており、電気配線が挿入配置される空間内には充填材を充填していないので、充填材の充填の有無に関わらず電気配線を挿入配置することができ、作業性を良くして設置等に係るコストを低減させることができる。
【発明の効果】
【００２８】
このように、本発明によれば、製造や設置等に係る手間を低減させると共に複数の機能を備えることが可能なスタンドを提供することができる。
【図面の簡単な説明】
【００２９】
【図１】（ａ）は本発明の一実施形態であるスタンドの使用状態を示す斜視図であり、（ｂ）は（ａ）のスタンドから外灯、操作盤、コンセントユニット、及び水栓を分離させた状態を示す分解斜視図である。
【図２】（ａ）は図１のスタンドにおける正面中央で上下方向に切断した縦断面図であり、（ｂ）は（ａ）の要部拡大断面図である。
【図３】図１のスタンドにおける本体部材とカバー部材との取付位置で水平方向に切断した横断面図である。
【図４】図１のスタンドを分解して示す分解斜視図である。
【図５】（ａ）は図１のスタンドにおける収容ボックスとサポータとを組立てた状態で正面から示す斜視図であり、（ｂ）は（ａ）を背面から示す斜視図である。
【図６】図１のスタンドにおける収容ボックスとサポータとを分解した状態で示す分解斜視図である。
【図７】スタンドにおける本体部材の外郭部と仕切部とを別体に形成した例を概略で示す断面図である。
【図８】スタンドにおける収容ボックスの他の形態を示す斜視図である。
【図９】スタンドにより提供可能な機能例を概略で示す説明図である。
【図１０】スタンドを設置面に立設させるためのベース部材を示す斜視図である。
【図１１】ベース部材を用いたスタンドの使用例を概略で示す説明図である。
【図１２】スタンドにおける平面から見たコンセントと水栓の配置例を示す説明図である。
【図１３】スタンドにおける仕切部の異なる形態を概略で示す説明図である。
【発明を実施するための形態】
【００３０】
本発明の一実施形態であるスタンド１について、図１乃至図６を参照して詳細に説明する。本実施形態のスタンド１は、上下方向へ延びた下部側が地面等に対して埋設されることで設置面２に対して立設される。本実施形態のスタンド１には、図１（ａ）に示すように、上面に外灯Ａが取付けられている。また、スタンド１には、外周面における上部正面側に、詳細は省略するが電気自動車やエンジンとモータを備えたハイブリッド自動車等のバッテリーを充電するための操作盤ＢとコンセントユニットＣとが上下方向に並んで取付けられている。更に、スタンド１には、操作盤ＢやコンセントユニットＣが取付けられる正面側とは反対側の背面側に水栓Ｄが取付けられている。
【００３１】
ここで、本実施形態では、スタンド１の延びた方向（長手方向）を上下方向とし、スタンド１における操作盤ＢとコンセントユニットＣが取付けられた面に対して直角方向を奥行き方向とし、奥行き方向及び上下方向に対して直角方向を左右方向とする。
【００３２】
本実施形態のスタンド１は、図２及び図３等に示すように、上下方向へ延び内部に複数（本実施形態では二つ）の空間を有した本体部材１０と、本体部材１０の上端開口を閉鎖するカバー部材２０と、本体部材１０内に挿入配置され水栓Ｄが接続される供給管３０と、供給管３０が配置された本体部材１０の空間内に充填された充填材４０と、本体部材１０における供給管３０が挿入配置された空間とは異なる空間内に挿入配置され本体部材１０の外周面を通して操作盤Ｂ及びコンセントユニットＣが夫々取付可能とされた二つの収容ボックス５０と、収容ボックス５０を本体部材１０の内周面側へ付勢するサポート部材７０と、を備えている。
【００３３】
スタンド１の本体部材１０は、上下方向へ延びた筒状の外郭部１１と、外郭部１１内を上下方向へ延びた二つの空間（第一空間Ｓ１及び第二空間Ｓ２）に仕切る板状の仕切部１２と、仕切部１２によって仕切られた一つの空間（第一空間Ｓ１）と連通し外郭部の外周に開口する第一開口部１３と、第一空間Ｓ１とは異なる第二空間Ｓ２と連通し外郭部１１の外周に開口する第二開口部１４と、第二空間Ｓ２の下端開口が、第一開口部１３が第一空間Ｓ１の下端開口よりも上側に位置するように外郭部１１の下部を切欠いた切欠部１５と、を備えている。
【００３４】
本体部材１０の外郭部１１は、平面視の外形が正方形に形成されている。また、仕切部１２は、平面視で外郭部１１内を二つの長方形の空間（第一空間Ｓ１及び第二空間Ｓ２）に仕切るように外郭部１１の略中央に配置されており、板状に形成されている。本実施形態の本体部材１０における仕切部１２は、外郭部１１と一体形成されており、上下方向の長さが外郭部１１と同じ長さに形成されている。
【００３５】
また、本体部材１０の第一開口部１３は、外郭部１１における仕切部１２と対向する面を円形状に貫通し、上下方向へ離間して二つ形成されている（図１（ｂ）を参照）。下側の第一開口部１３は、設置面２に設置した状態で、外郭部１１における設置面２よりも下側となる部位に形成されている。二つの第一開口部１３は、夫々供給管３０の上端部と下端部とが臨むように形成されている。
【００３６】
更に、本体部材１０の第二開口部１４は、外郭部１１における第一開口部１３が形成された面とは反対側の面を縦長矩形状に貫通し、上下方向へ並んで二つ形成されている（図４等を参照）。二つの第二開口部１４は、夫々収容ボックス５０が臨むように形成されている。
【００３７】
また、本体部材１０の切欠部１５は、図１に示すように、設置面２に設置した状態で、外郭部１１における設置面２よりも下側の位置に形成されている。この切欠部１５によって形成された下端開口からは、収容ボックス５０に接続された蛇腹状の鞘管８０が外方へ延出する。なお、鞘管８０は、可撓性を有した筒状で、合成樹脂等によって形成されており、内部に電気配線Ｅ（図１０等を参照）を挿通させることで、電気配線Ｅを保護することができる。
【００３８】
更に、本体部材１０は、仕切部１２によって仕切られた空間内における第一開口部１３又は第二開口部１４が形成された内面と対向した内面に形成され、上下方向へ延びたガイド部１６を更に備えている。本実施形態のガイド部１６は、板状の仕切部１２の面から突出するように形成されており、一つの空間に対し仕切部１２の中央を挟んで対称となる位置に二つ形成されている。
【００３９】
また、本体部材１０は、外郭部１１の内周面から内方へ板状に延出すると共に上下方向へ延び、所定距離離間して配置される一対の係止片１７と、一対の係止片１７の中心線上で係止片１７とは反対側の外郭部１１の外周面に形成され上下方向へ延びたＶ字状の案内溝１８と、を備えている。一対の係止片１７及び案内溝１８は、外郭部１１における第一開口部１３や第二開口部１４が形成されていない面に、夫々対向及び背向するように形成されている。
【００４０】
本体部材１０の一対の係止片１７は、互いに離間した間隔が、本体部材１０にカバー部材２０を固定するためのビス３のネジの谷径と略同じ間隔とされている。本実施形態では、一対の係止片１７の一方が仕切部１２の一部とされていると共に、他方が第一空間Ｓ１内に配置されており、一対の係止片１７の中心線が外郭部１１における一つの面の中心と略一致する位置となるように夫々が配置されている。
【００４１】
本体部材１０の案内溝１８は、本体部材１０にカバー部材２０を取付ける時や、表札、ポスト等を取付ける時に、下孔用のドリルの先端を挿入することで、その先端を一対の係止片１７の中心線と一致する位置に位置決めすることができる。これにより、案内溝１８によって位置決めした状態で、本体部材１０の外側からドリルで下孔（図示は省略）を穿設し、その下孔にビス３をねじ込むと、ビス３のネジ山を一対の係止片１７の対向する面に夫々喰い込ませることができ、ビス３を本体部材１０に対して確実にねじ込ませてカバー部材２０や、表札、ポスト等を取付けることができる。
【００４２】
また、本体部材１０は、平面視の形状が略Ｃ字状に形成され上下方向へ延びた保持溝１９を備えている。本実施形態の保持溝１９は、仕切部１２の中央を挟んで両側で、仕切部１２におけるガイド部１６と係止片１７との間の位置に夫々配置されており、第二空間Ｓ２側へ開放されるように形成されている。この保持溝１９は、アース線を保持したり、上下方向の両端側から所定のビスをねじ込んだりすることができる。
【００４３】
なお、本実施形態の本体部材１０は、アルミニウム合金等の金属の押出型材とされており、第一開口部１３、第二開口部１４、及び切欠部１５が切削加工や切断加工等の後加工よって形成されている。
【００４４】
スタンド１のカバー部材２０は、平面視の形状が略正方形で本体部材１０の外周形状よりもやや大きく形成された天板部２１と、天板部２１の外周から下方へ延出した角筒状の周壁部２２とを備え、下側が開放された箱状に形成されている。カバー部材２０の周壁部２２は、内周形状が本体部材１０における外郭部１１の外周形状と略一致する大きさに形成されている。これにより、カバー部材２０を、本体部材１０の上部に対して上方から嵌合させることができる。
【００４５】
また、カバー部材２０は、内側における上下方向の略中央に形成され本体部材１０の上端と当接する当接部２３（図２を参照）と、当接部２３と下端との間の高さの位置で且つ外周面の対向した二面における上下方向に対して直角方向の略中央の位置で外方へ膨出した膨出部２４（図３、図４を参照）と、膨出部２４の略中央の位置で外周面に対して直角方向へ貫通しビス３のねじ部が通過可能な固定孔２５（図３、図４を参照）と、を備えている。カバー部材２０の膨出部２４は、外周面に対して直角方向から見た形状が、下側がやや開いた逆Ｕ字状に形成されている。また、カバー部材２０の固定孔２５は、外方側が大径に形成された段付き孔とされており（図３を参照）、大径の部位でビス３の頭部を収容することができる。
【００４６】
また、カバー部材２０は、天板部２１の上面に円錐状に窪んだ五つの凹部２６を備えている。カバー部材２０の凹部２６は、平面視で略正方形に形成された天板部２１上面の中央の位置と、天板部２１の上面の中央を中心とした所定半径の円周線と天板部２１の外周辺の二等分線とが交わる四つの位置とに夫々形成されている。これら凹部２６は、ドリルの先端を挿入することで天板部２１の決められた位置に、孔を開けることができる。
【００４７】
更に、カバー部材２０は、中央を除いた四つの凹部２６の下側に配置され天板部２１の下面から当接部２３と同じ高さの位置まで下方へ突出した円柱状のボス部２７と、ボス部２７の下端から天板部２１の上面付近まで止り孔状に形成された取付孔２８と、を備えている。この取付孔２８は、所定のビスにおけるねじの谷径と略同じ内径に形成されており、凹部２６をガイドに天板部２１に開けられた孔を通して所定のビスをねじ込むことで、カバー部材２０の上面に外灯Ａ等を取付けることができる。
【００４８】
なお、カバー部材２０における中央の凹部２６は、外灯Ａと本体部材１０内とを電気的に接続する電気配線Ｅを通すための貫通孔を形成する際に用いることができる。
【００４９】
スタンド１の供給管３０は、上下方向へ延びた直管状で両端外周に雄ねじが形成された直部３１と、直部３１の上下両端の雄ねじに螺合接続されＬ字管状で両端開口の内周に雌ねじが形成されたエルボ部３２と、エルボ部３２における直管３１が螺合された側とは反対側の端部外周に形成され本体部材１０の第一開口部１３よりも大径に外方へ延出した板状のフランジ部３３と、フランジ部３３の軸方向端面から薄い円環状に突出し本体部材１０の第一開口部１３内へ挿入可能とされた突出部３４と、を備えている。供給管３０は、直部３１とエルボ部３２との間が所定のシール部材によって水密に接続されている。
【００５０】
また、供給管３０は、上下に接続されたエルボ部３２における端部の突出部３４の中心間の距離が、本体部材１０における上下に離間した二つの第一開口部１３の中心間距離と同じ距離となるように形成されている。これにより、供給管３０は、上下の突出部３４を、本体部材１０内から上下の第一開口部１３内へ挿入させることができると共に、上下のフランジ部３３を外郭部１１の内周面と当接させることができ、上下の端部が第一開口部１３を通して本体部材１０の外側へ臨ませることができる。
【００５１】
スタンド１の充填材４０は、本体部材１０における仕切部１２によって仕切られた空間のうち、供給管３０が挿入された第一空間Ｓ１内に充填されるものであり、断熱性の高い発泡樹脂によって形成されている。本実施形態の充填材４０は、本体部材１０の第一空間Ｓ１内に供給管３０を挿入した上で、供給管３０の上下両端のフランジ部３３と突出部３４とによって内側から第一開口部１３を閉鎖すると共に、第一空間Ｓ１の上下両端の開口を閉鎖した状態で、第一空間Ｓ１内に発泡樹脂の液体状の原液を所定量注入して、第一空間Ｓ１内で発泡させたものである。この充填材４０によって、供給管３０を第一空間Ｓ１内に保持することができると共に、供給管３０内とスタンド１の外部との間を断熱することができ、供給管３０内の水が凍結して不具合が発生するのを防止することができる。
【００５２】
スタンド１の収容ボックス５０は、本体部材１０における仕切部１２によって仕切られた第二空間Ｓ２内に挿入配置されるものである。この収容ボックス５０は、図示するように、奥行き方向の一方の壁面つまり第二開口部１４側を向く正面側が開放された箱状のボックス本体５１と、ボックス本体５１の上壁及び下壁の開放された端部から正面側へ突出する突出片５２と、突出片５２に接するようにボックス本体５１の内側に配置され上壁及び下壁に沿って奥行き方向へ延びた円柱状のボス部５３と、ボス部５３を奥行き方向に貫通した挿通孔５４と、挿通孔５４と同軸上の位置でボス部５３内に回転不能に埋設されるナット部材５５（図２（ｂ）を参照）と、を備えている。
【００５３】
また、収容ボックス５０は、ボックス本体５１の上壁及び下壁から上方及び下方へ延出し夫々幅方向に二つずつ形成された筒状の連結筒部５６と、連結筒部５６の内周に沿ってボックス本体５１の上壁及び下壁を貫通する貫通孔５７と、連結筒部５６の外周壁を貫通するスリット５８によって弾性変形可能に形成された板状の係止片５９と、係止片５９の自由端から連結筒部５６の内部へ突出する係止爪６０（図２（ｂ）を参照）と、を備えている。
【００５４】
更に、収容ボックス５０は、ボックス本体５１の上壁及び下壁に夫々二つ形成された連結筒部５６のうち、一方の連結筒部５６に沿って貫通した貫通孔５７を閉鎖可能とし連結筒部５６の内径よりも小径円板状の閉鎖部６１と、閉鎖部６１の周方向複数の位置でボックス本体５１の上壁又は下壁と閉鎖部６１とを連結する連結部６２と、閉鎖部６１の略中央を貫通し所定の工具を挿通可能とされた工具孔６３と、を備えている。
【００５５】
また、収容ボックス５０は、図６に示すように、ボックス本体５１における開放された側とは反対側の背壁の外面で上下方向の略中央に形成されサポート部材を固定するための固定孔６４と、固定孔６４の上下方向に対して直角方向両側に形成されサポート部材７０を回転不能に位置決めするための位置決め孔６５と、を備えている。
【００５６】
本実施形態の収容ボックス５０は、ナット部材５５が金属で形成されている他は、合成樹脂によって一体成型されている。また、収容ボックス５０は、挿通孔５４内のナット部材５５に、図示しない所定のボルトをねじ込むことで、操作盤ＢやコンセントユニットＣ等を取付けることができる。
【００５７】
収容ボックス５０のボックス本体５１は、上下方向の寸法が本体部材１０における第二開口部１４の上下方向の寸法よりも若干小さい寸法とされていると共に、左右方向の寸法が第二開口部１４の左右方向の寸法よりも大きい寸法とされ、奥行き方向の寸法が本体部材１０における外郭部１１と仕切部１２との間の寸法よりも小さい寸法とされている。また、収容ボックス５０の突出片５２は、左右方向の寸法が本体部材１０における第二開口部１４の左右方向の寸法よりも小さい寸法とされていると共に、突出寸法が外郭部１１の厚さと略同じ寸法とされている。
【００５８】
また、収容ボックス５０の連結筒部５６は、外径がボックス本体５１の奥行きよりも若干小さい径とされていると共に、内径が蛇腹状の鞘管８０の外径よりも若干大きい径とされており、鞘管８０の端部を挿入することができる（図２を参照）。また、収容ボックス５０の係止片５９は、一つの連結筒部５６に対して、連結筒部５６の中心軸を挟んで対向するように形成されている。この係止片５９は、スリット５８によって、連結筒部５６の軸方向におけるボックス本体５１とは反対の端部に近い側が連結筒部５６と繋がった状態となっており、略Ｅ字状のスリット５８によって連結筒部５６の周方向へ二つ並んだ状態に形成されている。
【００５９】
収容ボックス５０の係止爪６０は、係止片５９の自由端つまり連結筒部５６の軸方向に対してボックス本体５１に近い端部に形成されており、連結筒部５６内へ突出した部位が蛇腹状の鞘管８０の谷内へ挿入されるようになっている。この係止爪６０は、ボックス本体５１に近い側の端面が連結筒部５６の軸芯に対して直角方向へ延びた垂直面とされていると共に、反対側の面が係止片５９へ向うに従ってボックス本体５１から遠ざかる傾斜面とされている。
【００６０】
これにより、連結筒部５６へ鞘管８０を挿入して鞘管８０の先端が係止爪６０の傾斜面に当接すると、鞘管８０の挿入圧によって係止爪６０を介して係止片５９の自由端側に、連結筒部５６の軸直角方向外方へ向う力が作用し、係止片５９が鞘管８０から逃げる方向へ弾性変形して鞘管８０の更なる挿入が許容される。そして、蛇腹状の鞘管８０の山が係止爪６０を乗り越えて谷の位置に到達すると、係止爪６０の傾斜面への当接が解除されるため、弾性変形していた係止片５９が元の状態に復帰し、係止爪６０が鞘管８０の谷内に挿入された状態となる（図２（ｂ）を参照）。
【００６１】
ところで、係止爪６０を鞘管８０の谷内に挿入した状態で、鞘管８０を連結筒部５６から抜く方向へ力を作用させると、鞘管８０の山が係止爪６０のボックス本体５１に近い側の垂直面に当接するすることとなるが、この垂直面が連結筒部５６の軸芯に対して直角方向へ延びているため、鞘管８０から軸方向（抜く方向）への力を作用させても、係止爪６０を軸直角方向外方へ向う力が作用しない。従って、係止片５９は弾性変形することなくそのままの状態を保つこととなるので、係止爪６０が鞘管８０の谷内に挿入されたままとなり、連結筒部５６から鞘管８０が簡単に抜けない。
【００６２】
収容ボックス５０の閉鎖部６１は、ボックス本体５１を挟んで互いに対向するように配置されている。この閉鎖部６１は、細い連結部６２によってボックス本体５１と繋がっており、連結部６２を破断することでボックス本体５１から分離させて貫通孔５７を形成することができる。これにより、ボックス本体５１内へ挿通させる電気配線Ｅの数や種類等に応じて、貫通孔５７を増やすことができる。
【００６３】
スタンド１のサポート部材７０は、合成樹脂によって一体成型されており、収容ボックス５０の底壁外面と当接する横長板状の固定部７１と、固定部７１の略中央を貫通する貫通孔７２と、固定部７１における貫通孔７２の両側から断面十字状に突出し収容ボックス５０の位置決め孔６５へ挿入可能とされた一対の突部７３と、固定部７１の上端及び下端から上方及び下方且つ突部が突出する方向とは反対方向へ斜めに延びた板状のバネ部７４と、バネ部７４の先端に形成され円弧状に折り返した返し部７５と、を備えている。
【００６４】
サポート部材７０は、左右方向の幅が、本体部材１０における一対のガイド部１６間の幅よりも若干狭い幅に形成されている（図３を参照）。このサポート部材７０は、一対の突部７３を収容ボックス５０の位置決め孔６５へ挿入すると共に、貫通孔７２を通して所定のビス４を固定孔６４へねじ込むことで、収容ボックス５０に固定することができる。
【００６５】
このサポート部材７０は、収容ボックス５０に固定した状態で、収容ボックス５０とサポート部材７０とを合せた奥行き方向の寸法が、本体部材１０における外郭部１１と仕切部１２との間の寸法よりも大きい寸法となるように形成されている。これにより、サポート部材７０を収容ボックス５０に固定した状態で本体部材１０内へ挿入配置すると、サポート部材７０の返し部７５が本体部材１０の仕切部１２に当接してバネ部７４が収容ボックス５０側へ弾性変形し、その弾性力によって収容ボックス５０を外郭部１０の内面へ付勢することができる。
【００６６】
また、サポート部材７０は、収容ボックス５０に固定した状態で本体部材１０内へ挿入すると、バネ部７４の先端側と返し部７５が、一対のガイド部１６の間に位置するので、バネ部７４や返し部７５がガイド部１６に接触することで、サポート部材７０を介して収容ボックス５０が本体部材１０内で左右方向へ移動するのを規制することができ、収容ボックス５０を本体部材１０に沿って上下方向へスライドさせることができる。
【００６７】
これにより、サポート部材７０を固定した状態で収容ボックス５０を本体部材１０における第二空間Ｓ２内へ端部から挿入すると、収容ボックス５０はサポート部材７０の付勢力によって突出片５２の先端が外郭部１１の内面に当接した状態でスライドすることとなる。そして、その状態で収容ボックス５０が第二開口部１４の位置へ移動すると、サポート部材７０の付勢力によって突出片５２が第二開口部１４内へ突出した状態となり、上下の突出片５２が第二開口部１４内へ突出することで、収容ボックス５０は上下方向への移動が規制された状態となる。従って、サポート部材７０を固定した収容ボックス５０を本体部材１０内へ挿入してスライドさせるだけで、収容ボックス５０の開放された側を第二開口部１４と一致する位置に停止させることができ、組立て等にかかる手間を簡略化することができる。
【００６８】
因に、本実施形態のスタンド１は、本体部材１０の平面視の外形が、一辺１００ｍｍ〜１２０ｍｍの範囲内の矩形状とされていると共に、上下方向の長さが、８００ｍｍ〜１５００ｍｍの範囲内とされている。
【００６９】
このように、本実施形態のスタンド１によると、本体部材１０の外周を構成する外郭部１１内を、板状の仕切部１２によって仕切っているので、各空間Ｓ１，Ｓ２に供給管３０や電気配線Ｅを夫々通して一つのスタンド１で、水栓Ｄによる給水機能、操作盤Ｂ及びコンセントユニットＣによる電力供給機能、外灯Ａによる照明機能等、複数の機能を備えることができる。また、機能の異なる複数のスタンドを別個に設置する場合と比較して、一つのスタンド１で複数の機能を備えることが可能となるので、設置のためのスペースを少なくすることができると共に、設置場所の美観を向上させることができる。また、複数のスタンドを一つのスタンド１に集約することができるので、一箇所で作業することができ、作業性を向上させることができると共に、部品を共用化することができ、スタンド１の製造や設置等に係るコストを低減させることができる。
【００７０】
また、本体部材１０内を仕切部１２によって二つの空間Ｓ１，Ｓ２に仕切っているので、本体部材１０内に供給管３０や電気配線Ｅを挿入配置する際に、仕切部１２によって供給管３０と電気配線Ｅ等とが接触するのを防止することができる。従って、供給管３０や電気配線Ｅ等を本体部材１０内に配置する時に、供給管３０と電気配線Ｅ等とが接触するのを気にすることなく作業を行うことができるので、作業性を向上させることができ、作業時間が短くなることで短納期化に対応させたりコストを低減させたりすることができる。
【００７１】
更に、水道管に接続される供給管３０と電気配線Ｅとを、外郭部１１と一体に形成された板状の仕切部１２により完全に仕切られた別々の空間Ｓ１，Ｓ２に挿入配置しているので、喩え供給管３０側の第一空間Ｓ１内で水漏れが発生しても、漏れた水が電気配線Ｅの挿入配置された第二空間Ｓ２側へ浸入するのを防止することができ、ショートや漏電等の不具合が発生するのを防止して各機能を確実に備えることができると共に、安全性の高いスタンドとすることができる。
【００７２】
また、本実施形態のスタンド１は、外郭部１１と一体に形成された仕切部１２によって供給管３０側と電気配線Ｅ側とを略完全に仕切っているので、供給管３０を配置した第一空間Ｓ１内に、液体状の樹脂を注入して発泡させても、他方側の第二空間Ｓ２内に影響を与えることがなく、第二空間Ｓ２内へ電気配線Ｅや収容ボックス５０等を問題なく挿入することができる。
【００７３】
更に、本体部材１０の上端開口を閉鎖するカバー部材２０を備えているので、上端開口から本体部材１０内へ雨水や塵・埃等が浸入するのを防止することができる。従って、本体部材１０内に挿入配置される供給管３０や電気配線Ｅ等を保護することができ、供給管３０や電気配線Ｅ等が早期に劣化するのを抑制してメンテナンス等にかかるコストを低減させることができる。
【００７４】
また、供給管３０が挿入配置された第一空間Ｓ１内に充填材４０を充填して供給管３０の周りを充填材４０で覆っているので、第一空間Ｓ１内で供給管３０を動き難くすることができる。従って、予め工場等で本体部材１０内に供給管３０を挿入配置した状態でスタンド１を出荷しても、スタンド１の輸送中や立設作業中に、挿入配置された供給管３０の位置がずれてしまうのを防止することができ、スタンド１の設置に係る作業性を良くすることができる。
【００７５】
また、供給管３０の周りを、断熱性を有した充填材４０で覆っているので、供給管３０内とスタンド１外部との間の熱交換を可及的に遮断することができる。従って、冬季等の寒い時に供給管３０内の水が凍結するのを防止することができるので、不具合が発生するのを防止することができ、良好な状態で所望の機能を発揮させることが可能なスタンド１とすることができる。
【００７６】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００７７】
例えば、上記の実施形態では、本体部材１０における外郭部１１の平面視外周形状を、略正方形としたものを示したが、これに限定するものではなく、外郭部１１の平面視外周形状を、「長方形」、「三角形」、「五角形」、「六角形」、「八角形」、「円形」、「楕円形」、「星型」、「台形」、等の形状としても良い。
【００７８】
また、上記の実施形態では、本位部材１０の外郭部１１内を仕切部１２によって二つの空間Ｓ１，Ｓ２に仕切ったものを示したが、これに限定するものではなく、仕切部１２によって二つ以上の空間に仕切るようにしても良い。
【００７９】
また、上記の実施形態では、供給管３０の下端側を、外郭部１１の外面に形成した下側の第一開口部１３から外方へ臨ませるようにしたものを示したが、これに限定するものではなく、供給管３０の下端側を本体部材１０（外郭部１１）の下端から外方へ延出させるようにしても良い。
【００８０】
更に、上記の実施形態では、電気配線Ｅを本体部材１０における第二空間Ｓ２の下端から外方へ延出させるようにしたものを示したが、これに限定するものではなく、外郭部１１の外面に所定の開口部を形成し、その開口部から電気配線Ｅを外方へ延出させるようにしても良い。
【００８１】
また、上記の実施形態では、供給管３０を挿入配置した第一空間Ｓ１内に充填される充填材４０として、発泡樹脂を用いたものを示したが、これに限定するものではなく、「発泡ゴム」、「グラスウール」、「ロックウール」、「モルタル」等を用いても良い。また、上記の実施形態では、充填材４０を、第一空間Ｓ１内で発泡させて充填したものを示したが、これに限定するものではなく、予め粒状に発泡させたものを充填しても良い。なお、粒状の発泡樹脂を充填する場合、充填した充填材４０が第一空間Ｓ１内から漏れないように、第一空間Ｓ１の上下両端の開口を所定の部材によって閉鎖することが望ましい。
【００８２】
更に、上記の実施形態では、本体部材１０における外郭部１１と仕切部１２とを一体に形成したものを示したが、これに限定するものではなく、外郭部１１と仕切部１２とを別体に形成しても良い。なお、上記の実施形態と同じ構成については、同一の符号を付し、詳細な説明は省略する。例えば、図７（ａ）の例では、平面視角筒状に形成された外郭部１１と、平面視クランク状に形成された仕切部１２とを備え、外郭部１１内に仕切部１２を挿入することで、仕切部１２における中央の部位が外郭部１１の略中央に位置して二つの空間に仕切ることができるようになっている。また、図７（ｂ）の例では、平面視略正方形の角筒状で互いに対向した内面の略中央から所定間隔で突出した一対の突出部１１ａを有する外郭部１１と、外郭部１１における一対の突出部１１ａ間と略同じ厚さの仕切部１２とを備え、仕切部１２の両端を対向した一対の突出部１１ａ間に挿入することで、二つの空間に仕切ることができる。
【００８３】
また、上記の実施形態では、収容ボックス５０に固定したサポート部材７０によって、収容ボックス５０を外郭部１１の内面側へ付勢したり、収容ボックス５０を上下方向へ真っ直ぐにスライドできるようにしたりしたものを示したが、これに限定するものではなく、サポート部材７０を廃止して、収容ボックス５０自体に付勢するための機構や真っ直ぐにスライドさせるための機構等を備えるようにしても良い。具体的には、例えば、図８に示すように、収容ボックス５０におけるボックス本体５１の奥行き方向の底壁にサポート部材７０と略同じ幅で上下方向へ延びた開口部６６を形成すると共に、開口部６６の一辺から外方へ突出するように湾曲した湾曲片６７を備えるようにしても良い。これによっても、湾曲片６７の弾性力により収容ボックス５０を外郭部１１の内面側へ付勢することができると共に、湾曲片６７を本体部材１０における一対のガイド部１６の間に挿入することで収容ボックス５０を真っ直ぐにスライドさせることができ、上記と同様の作用効果を奏することができる。
【００８４】
更に、上記の実施形態では、スタンド１として、外灯Ａ、電気自動車等のバッテリーを充電するための操作盤ＢとコンセントユニットＣ、及び水栓Ｄを夫々一つずつ備えたものを示したが、これに限定するものではなく、例えば、図９に示すような機能を提供可能なスタンド１としても良い。詳述すると、図９（ａ）のスタンド１は、上記の構成に加えて、水栓Ｄを二つ備えたものである。なお、水栓Ｄを二つ備える場合、一方を温水、他方を冷水（非温水）としても良い。また、本体部材１０内に温水と冷水を供給するようにした場合、水栓Ｄを単水栓に替えて、湯水混合水栓としても良い。
【００８５】
また、図９（ｂ）のスタンド１は、上記の構成に対して、水栓Ｄの替りに、電力供給用（例えば、１００Ｖ又は２００Ｖの商用電源）のコンセントＦを備えたものである。なお、スタンド１の本体部材１０は、図３に示すように、仕切部１２における第一空間Ｓ１側にも一対のガイド部１６を備えているので、サポート部材７０を固定した収納ボックス５０を第一空間Ｓ１内に挿入すると、第二空間Ｓ２と同様に、一対のガイド部１６によって収納ボックス５０を上下方向へ真っ直ぐにスライドさせることができる。
【００８６】
また、図９（ｃ）のスタンド１は、上記の構成に対して、電気自動車等のバッテリーを充電するための操作盤Ｂ及びコンセントユニットＣの替りに、電力供給用のコンセントＦを備えたものである。なお、図示は省略するが、スタンド１により提供する機能として、水栓Ｄを、消火栓としたり自動車等への燃料を供給する燃料供給栓としたりしても良い。このように、本実施形態のスタンド１は、設置者の要求に応じて様々な機能を備えることができる。
【００８７】
更に、上記の実施形態では、本体部材１０の下部を設置面２に対して埋設することで、スタンド１を立設させるようにしたものを示したが、これに限定するものではなく、本体部材１０の下端に取付けられる部材を介して設置面２に立設させるようにしても良い。具体的には、図１０に示すような、ベース部材９０を例示することができる。ベース部材９０は、設置面２に載置され略正方形で板状のベース部９１と、ベース部９１の中央を貫通し内形が本体部材１０における外郭部１１の外形よりも小形の略正方形とされた開口部９２と、開口部９２の対向した二辺から上方へ延出し本体部材１０における外郭部１１内に挿入可能とされた一対の板状の取付片９３と、を備えている。なお、このベース部材９０は、ステンレス鋼等の金属板をプレス加工したものである。
【００８８】
ベース部材９０を用いてスタンド１を立設する場合は、本体部材１０に切欠部１５を形成しない状態とする。そして、ベース部材９０の一対の取付片９３を、本体部材１０の下端から挿入した上で、ビス等を用いて外郭部１１に固定すると共に、ベース部９１をアンカーボルトやビス等によって設置面２に固定することで、本体部材１０つまりスタンド１を設置面２に対して立設することができる。従って、上記と同様の作用効果を奏することができる他に、本体部材１０を埋設することが困難な設置面２の場合でも、ベース部材９０を介することで本体部材１０を立設することができ、スタンド１の設置に係る手間を簡略化することができる。
【００８９】
ベース部材１０を用いたスタンド１の使用例としては、例えば、図１１（ａ）に示すように、図１の構成に対して、水栓Ｄの替りに、電力供給用のコンセントＦを備えるようにしても良い。また、図１１（ｂ）に示すように、図１の構成に対して、水栓Ｄの替りに外灯Ａ用の電気配線Ｅを挿入しても良い。
【００９０】
ところで、図１０の例では、ベース部材９０のベース部９１が板状のものを示したが、これに限定するものではなく、ベース部９１をコンクリートや金属塊のような重量のある重いブロック状のものとすると共に、その上面から一対の取付片９３が延出したようなベース部材９０Ａとしても良い。ベース部９１がブロック状とされたベース部材を用いたスタンド１の使用例としては、例えば、図１１（ｃ）に示すように、図１の構成に対して、水栓Ｄの替りに、電力供給用のコンセントＦを備えるようにしても良い。また、図１１（ｄ）に示すように、図１の構成に対して、水栓Ｄの替りに外灯Ａ用の電気配線Ｅを挿入しても良い。これにより、上記と同様の作用効果を奏することができると共に、設置面２に対して移動可能なスタンド１とすることもできる。
【００９１】
なお、図１１（ｃ）及び（ｄ）では、ブロック状のベース部９１を、設置面２に載置したものを示したが、これに限定するものではなく、ブロック状のベース部９１を設置面２に埋設しても良い。また、図１１（ａ）〜（ｄ）に示したスタンド１に、水栓Ｄを備えるようにしても良い。
【００９２】
また、上記の実施形態では、本体部材１０における対向した外面に、夫々コンセントユニットＣと水栓Ｄを取付けたものを示したが、これに限定するものではなく、例えば、図１２（ａ）に示すように、コンセントユニットＣと水栓Ｄを夫々本体部材１０における互いに交差する外面に取付けるようにしても良いし、図１２（ｂ）に示すように、コンセントユニットＣと水栓Ｄを本体部材１０における同じ向きの外面に取付けるようにしても良い。なお、図示は省略するが、図１２（ｂ）のように第二空間Ｓ２内における第二開口部１４に対向した外郭部１１の内面は、一対のガイド部１６が形成されており、上記の実施形態と同様の作用効果を奏することができる。
【００９３】
更に、上記の実施形態では、本体部材１０の仕切部１２が、外郭部１１と同じ長さ（高さ）のものを示したが、これに限定するものではなく、仕切部１２の高さを外郭部１１よりも低くしても良い。なお、図１３のスタンド１では、仕切部１２の上端を外郭部１１の上端よりも低く形成すると共に、仕切部１２の上端の位置で供給管３０が挿入配置される第一空間Ｓ１の上端を閉鎖するようにしている。これにより、万が一供給管３０側で漏水が発生しても、本体部材１０の上端側から電気配線Ｅが挿入配置された第二空間Ｓ２内へ水が浸入するのを防止することができ、より安全性の高いスタンドとすることができる。
【符号の説明】
【００９４】
１  スタンド
２  設置面
１０  本体部材
１１  外郭部
１２  仕切部
２０  カバー部材
３０  供給管
４０  充填材
５０  収容ボックス
７０  サポート部材
８０  鞘管
９０  ベース部材
Ａ  外灯
Ｂ  操作盤
Ｃ  コンセントユニット
Ｄ  水栓
Ｅ  電気配線
【先行技術文献】
【特許文献】
【００９５】
【特許文献１】特開２００１−１７３０２９号公報
【特許文献２】特開２０１１−９１９７９号公報
【図１】
0006001912.tif 000002
【図２】
0006001912.tif 000003
【図３】
0006001912.tif 000004
【図４】
0006001912.tif 000005
【図５】
0006001912.tif 000006
【図６】
0006001912.tif 000007
【図７】
0006001912.tif 000008
【図８】
0006001912.tif 000009
【図９】
0006001912.tif 000010
【図１０】
0006001912.tif 000011
【図１１】
0006001912.tif 000012
【図１２】
0006001912.tif 000013
【図１３】
0006001912.tif 000014